(57)【要約】      （修正有）【課題】ロールペーパーをスムーズに引き出すことができるとともに室内装飾品としての見映えを改善した卓上ロールペーパーケースを提供する。【解決手段】上部が開口し、ロールペーパーが縦置きして収納されるとともに、側面にロールペーパー引き出し口５が形成されているケース本体２と、このケース本体２に着脱自在であって、ケース本体に固定された蓋体６と、ロールペーパー芯に内接し蓋体に回転自在に取り付けられるとともにドライフラワー、生花、人形又は動物模型などの装飾品が装着される回転体７とを備えた卓上ロールペーパーケース１である。【選択図】図１
0003223147.tif 000002
【実用新案登録請求の範囲】
【請求項１】
上部が開口し、ロールペーパーが縦置きして収納されるとともに、側面にロールペーパー引き出し口が形成されているケース本体と、該ケース本体に着脱自在であって、ケース本体に固定された蓋体と、ロールペーパー芯に内接し該蓋体に回転自在に取り付けられるとともに装飾品が装着される回転体とを備えた卓上ロールペーパーケース。
【請求項２】
上記回転体には、上記装飾品が着脱自在に装着される、上部が解放された凹部が形成されていることを特徴とする請求項１に記載の卓上ロールペーパーケース。
【請求項３】
上記蓋体には、上記回転体の取付部分を挟んだ両側に開口が形成されていることを特徴とする請求項２に記載の卓上ロールペーパーケース。
【請求項４】
上記装飾品は、ドライフラワー又は生花であることを特徴とする請求項２又は請求項３に記載の卓上ロールペーパーケース。
【請求項５】
上記装飾品が蓋体の上方に、上記回転体と一体に装着されていることを特徴とする請求項１に記載の卓上ロールペーパーケース。
【請求項６】
上記装飾品は、人形又は動物模型であることを特徴とする請求項５に記載の卓上ロールペーパーケース。
【考案の詳細な説明】
【技術分野】
【０００１】
本考案は、卓上ロールペーパーケースに関する。
【背景技術】
【０００２】
ロールペーパーは、主としてトイレ用に使用されているが、このロールペーパーを室内・キッチン等でティッシュペーパーとして利用するための卓上ロールペーパーケースがこれまで多数提案されている。
【０００３】
例えば、ケース内にロールペーパーを縦置きして収納するとともに、ケース側面に、縦方向に沿ってロールペーパー引き出し口を形成したもの（特許文献２、４参照）、ケース内にロールペーパーを横置きして収納するとともに、ケース側面に、横方向に沿ってロールペーパー引き出し口を形成したもの（特許文献３、５参照）などがある。
【０００４】
ところが、これまでの卓上ロールペーパーケースは、実用品としてのみを目的とするものであり、装飾品としての機能は重視されて来なかった。
この点に関し、壁掛け型ではあるが、ロールペーパーを縦置きして収納するロールペーパーケースの蓋の中央に凹部を形成し、これに生花、ドライフラワーなどを挿して飾ることにより室内装飾品としての機能を持たせたもの（特許文献１参照）も提案されている。
【０００５】
特許文献１のものを卓上ロールペーパーケースとして活用する場合、次のような問題があった。
（１）特許文献１のロールペーパーケースは、ケース底部からペーパーを引き出すため、卓上型としては利用できない。
（２）ロールペーパー芯が除去されているため、ロールペーパーの取り出しがスムーズではない。
（３）挿した生花、ドライフラワーなどは、見る方向が固定されているため、室内装飾品としては変わり映えがしない。
【先行技術文献】
【特許文献】
【０００６】
【特許文献１】実願昭５４−５８３４３号のマイクロフィルム（実開昭５５−１５８９９３号）
【特許文献２】実願昭５５−１４２４３７号のマイクロフィルム（実開昭５７−６５６９４号）
【特許文献３】実願昭５７−２２１２５号のマイクロフィルム（実開昭６０−１０３３９１号）
【特許文献４】実願昭６０−１０６５３６号のマイクロフィルム（実開昭６２−１５２９７号）
【特許文献５】実用新案登録第３０９０５１４号公報
【考案の概要】
【考案が解決しようとする課題】
【０００７】
本考案は、これまでの背景技術に鑑み、ロールペーパーをスムーズに引き出すことができるとともに、室内装飾品としての見映えを改善した卓上ロールペーパーケースを提供することを課題とする。
【課題を解決するための手段】
【０００８】
本考案の課題を解決するための手段は、次のとおりである。
（１）上部が開口し、ロールペーパーが縦置きして収納されるとともに、側面にロールペーパー引き出し口が形成されているケース本体と、このケース本体に着脱自在であって、ケース本体に固定された蓋体と、ロールペーパー芯に内接し蓋体に回転自在に取り付けられるとともに装飾品が装着される回転体とを備えた卓上ロールペーパーケース。
（２）上記回転体には、上記装飾品が着脱自在に装着される、上部が解放された凹部が形成されていることを特徴とする（１）に記載の卓上ロールペーパーケース。
（３）上記蓋体には、上記回転体の取付部分を挟んだ両側に開口が形成されていることを特徴とする（２）に記載の卓上ロールペーパーケース。
（４）上記装飾品は、ドライフラワー又は生花であることを特徴とする（２）又は（３）に記載の卓上ロールペーパーケース。
（５）上記装飾品が蓋体の上方に、上記回転体と一体に装着されていることを特徴とする（１）に記載の卓上ロールペーパーケース。
（６）上記装飾品は、人形又は動物模型であることを特徴とする（５）に記載の卓上ロールペーパーケース。
【考案の効果】
【０００９】
本考案によれば、次のような効果が得られる。
（１）回転体がロールペーパー芯に内接していてロールペーパーが回転体と同時に回転するため、ペーパーをスムーズに引き出すことができる。
（２）卓上ロールペーパーケースには、人形・動物模型・ドライフラワーなどの装飾品が装着されているため、卓上ロールペーパーケース自体が室内装飾品となっている。
（３）さらに、卓上ロールペーパーケースに装着された人形・動物模型・ドライフラワーなどの装飾品がペーパーを引き出すたびに回転するため、室内装飾品としての見映えが変化し、気分が転換される。
【図面の簡単な説明】
【００１０】
【図１】第１の実施例に係る卓上ロールペーパーケースの平面図及び側面図である。
【図２】第１の実施例に係る卓上ロールペーパーケースのＡ−Ａ断面図である。
【図３】第１の実施例に係る卓上ロールペーパーケースの使用状態説明図である。
【図４】第２の実施例に係る卓上ロールペーパーケースの平面図及び側面図である。
【図５】第２の実施例に係る卓上ロールペーパーケースのＢ−Ｂ断面図である。
【考案を実施するための形態】
【００１１】
（本考案の要旨）
本考案に係る卓上ロールペーパーケースは、上部が開口し、ロールペーパーが縦置きして収納されるとともに、側面にロールペーパー引き出し口が形成されているケース本体と、このケース本体に着脱自在であって、ケース本体に固定された蓋体と、ロールペーパー芯に内接し蓋体に回転自在に取り付けられるとともに装飾品が装着される回転体とを備えている。
本考案における装飾品とは、卓上ロールペーパーケースに装着され回転することによって見映えが変化する人形・動物模型・ドライフラワー等をいう。
【００１２】
ケース本体の形状は、円筒形又は多角筒形であり、硬質樹脂、紙、段ボール等の素材により構成されている。
ケース本体の側面には、縦方向にロールペーパー引き出し口が形成されている。ロールペーパーは、ロールペーパー引き出し口から必要なだけ引き出されて、ロールペーパーのミシン目に沿って切断され、ティッシュペーパーとして使用される。
【００１３】
ケース本体の上面には、蓋体が着脱自在に取り付けられている。蓋体はケース本体から簡単に外れないように、ケース本体に固定される。
このため、蓋体を硬質樹脂で構成する場合には、例えばケース本体の上面にねじ込むようにしたり、ケース本体内面の上部にリングを設けこれに蓋体に設けた係合部により固定する。
また、蓋体を厚紙、段ボール板で構成する場合には、落とし蓋とすることができる。
【００１４】
卓上ロールペーパーケースには、ロールペーパー芯に内接し蓋体に対して回転自在に取り付けられた回転体が備えられている。さらに、この回転体には、装飾品が回転体の凹部に載置され、あるいは回転体に一体に固定されて装着されており、回転体とともに回転するようになっている。
【００１５】
（第１の実施例）
第１の実施例に係る卓上ロールペーパーケースを図１ないし図３に示す。
図１の（ａ）図は、第１の実施例に係る卓上ロールペーパーケースの平面図であり、（ｂ）図はその側面図である。
図２は、第１の実施例に係る卓上ロールペーパーケースのＡ−Ａ断面図である。
また、図３は、ドライフラワーを装着した第１の実施例に係る卓上ロールペーパーケースの使用状態説明図である。
【００１６】
図１ないし図３において、１は卓上ロールペーパーケースであり、２は上部が開口したケース本体である。
ケース本体２は、円筒形状であり、硬質樹脂により構成されている。
このケース本体２には、ロールペーパー３が縦置きに収納されている。
【００１７】
ケース本体２の側面には、縦方向にスリット状のロールペーパー引き出し口５が形成されている。
ペーパーは、ロールペーパー引き出し口５から必要なだけ引き出される。そして、ロールペーパーのミシン目に沿って切断され、ティッシュペーパーとして使用される。
なお、ミシン目のないロールペーパーを使用する時は、ロールペーパー引き出し口の端部で切断する。
【００１８】
ケース本体２の上面には、蓋体６が着脱自在に取り付けられている。蓋体６はケース本体から簡単に外れないように、ケース本体に固定される。
このため、蓋体６を図２のようにケース本体の上面にねじ込むようにしている。なお、ケース本体内面の上部にリングを設け、これに蓋体６に設けた係合部により固定するようにしてもよい。
【００１９】
卓上ロールペーパーケース１には、ロールペーパー芯４に内接し蓋体６に対して回転自在に取り付けられた回転体７が備えられている。回転体７はロールペーパーの引き出しに伴い、ロールペーパーとともに蓋体６に対して回転する。
さらに、この回転体７には、装飾品が装着される上部が解放された凹部９が形成されている。
【００２０】
この凹部９には、図３に示すように、ドライフラワーなどが装飾品８として挿して飾られる。また、回転体７の凹部に注水し、そこに生花を挿して飾ってもよい。
図３に示す卓上ロールペーパーケースは、ドライフラワーなどの装飾品８が装着されているため、卓上ロールペーパーケース自体が室内装飾品となっている。
さらに、卓上ロールペーパーケースに装着されたドライフラワーなどの装飾品８がペーパーを引き出すたびに回転するため、室内装飾品としての見映えが変化し、気分が転換される。
【００２１】
（第２の実施例）
第２の実施例に係る卓上ロールペーパーケースを図４ないし図５に示す。
図４の（ａ）図は、第２の実施例に係る卓上ロールペーパーケースの平面図であり、（ｂ）図はその側面図である。
図５は、第２の実施例に係る卓上ロールペーパーケースのＢ−Ｂ断面図である。
【００２２】
図４ないし図５において、１は卓上ロールペーパーケースであり、２は上部が開口したケース本体である。
ケース本体２の形状は、八角筒の多角筒形状であり、厚紙あるいは段ボール板により組立てられている。
このケース本体２には、ロールペーパー３が縦置きに収納されている。
【００２３】
ケース本体２の側面には、八角筒の稜線に沿って、縦方向にスリット状のロールペーパー引き出し口５が形成されている。
ペーパーは、ロールペーパー引き出し口５から必要なだけ引き出される。そして、ロールペーパーのミシン目に沿って切断され、ティッシュペーパーとして使用される。
なお、ミシン目のないロールペーパーを使用する時は、ロールペーパー引き出し口の端部で切断する。
【００２４】
ケース本体２の上面には、八角形状の蓋体６が着脱自在に取り付けられている。ケース本体２の内面上部には蓋体支持リング１１が設けられており、蓋体６は蓋体支持リング１１の上に落とし込むようにして取り付けられる。
蓋体６の形状は、八角筒形状のケース本体２の横断面構造と一致する形状となっているため、蓋体６をケース本体２の上方から単に落とし込むことでケース本体２に固定することができる。
【００２５】
卓上ロールペーパーケース１には、ロールペーパー芯４に内接し蓋体６に対して回転自在に取り付けられた回転体７が備えられている。回転体７はロールペーパーの引き出しに伴い、ロールペーパーとともに蓋体６に対して回転する。
さらに、この回転体７には、装飾品が装着される上部が解放された凹部９が形成されている。
【００２６】
この凹部９には、図３に示す第１の実施例と同様に、ドライフラワーなどが装飾品として挿して飾られる。また、回転体７の凹部に注水し、そこに生花を挿して飾ってもよい。
卓上ロールペーパーケースは、ドライフラワーなどの装飾品が装着されているため、卓上ロールペーパーケース自体が室内装飾品となっている。
さらに、卓上ロールペーパーケースに装着されたドライフラワーなどの装飾品がペーパーを引き出すたびに回転するため、室内装飾品としての見映えが変化し、気分が転換される。
【００２７】
さらに、実施例２では、蓋体６に、回転体７の取付部分を挟んだ両側に開口１０が形成されている。このため、装飾品を取り外した後に、両方の開口に指を入れることにより、蓋体をケース本体から簡単に取り外して新しいロールペーパーと交換することができる。
【００２８】
（変型例）
第１及び第２の実施例では、回転体７に凹部９を設けてそこにドライフラワーなどの装飾品を挿して飾っているが、この変型例では、図示はしていないが、人形又は動物模型などの装飾品は、回転体と一体となって、かつ蓋体より上方に突出して装着されている。
すなわち、本考案に係るこの変型例では、装飾品が蓋体の上方に、上記回転体と一体に装着されている。
【００２９】
この変型例では、実施例１及び実施例２の場合と同様に、卓上ロールペーパーケースからペーパーを引き出すたびに人形又は動物模型などの装飾品が回転する。
さらに、この変型例に係る卓上ロールペーパーケース１では、装飾品である人形又は動物模型などが蓋６の取っ手を兼用することになる。
【００３０】
変型例として述べた卓上ロールペーパーケースの作用効果を整理すると、次のとおりである。
（１）卓上ロールペーパーケースには、人形又は動物模型などの装飾品が装着されているため、卓上ロールペーパーケース自体が室内装飾品となっている。
（２）卓上ロールペーパーケースに装着された人形又は動物模型などの装飾品が、ペーパーを引き出すたびに回転するため、室内装飾品としての見映えが変化し、気分が転換される。
（３）装飾品が蓋体の取っ手を兼用しているため、装飾品を摘まんで蓋体をケース本体から簡単に取り外し、新しいロールペーパーと交換することができる。
【００３１】
（本考案の技術的範囲）
本明細書に開示した第１及び第２の各実施例並びに変型例は、本考案に係る卓上ロールペーパーケースの理解を容易にするために例示したものであって、本考案はこれに限定されるものではない。
すなわち、本考案は、実用新案登録請求の範囲を逸脱しない限り、卓上ロールペーパーケースの作製に当たって、適宜の設計変更が可能であることは、言うまでもないことである。
【符号の説明】
【００３２】
１  卓上ロールペーパーケース
２  ケース本体
３  ロールペーパー
４  ロールペーパー芯
５  ロールペーパー引き出し口
６  蓋体
７  回転体
８  装飾品
９  凹部
１０  開口
１１  蓋体支持リング
【図１】
0003223147.tif 000003
【図２】
0003223147.tif 000004
【図３】
0003223147.tif 000005
【図４】
0003223147.tif 000006
【図５】
0003223147.tif 000007